(57)【要約】【課題】  生体組織の切離と縫合とを行うステープル装置において、カムバー、ナイフ及びステープル打ち出しレバーが確実に初期位置に戻るステープル装置を提供する。【解決手段】  クロージングレバー４０、ステープル打ち出しレバー２７、プレリリースボタン４１及びリリースボタン４２を有する本体部分３と、挿入部２の先端に設けられた開閉可能なジョー部を有し、ジョー部を全閉状態とするクロージングレバー４０と、ステープリング及びナイフ２０による生体組織の切除を行うステープル打ち出しレバー２７と、ジョー部を全閉状態から半開状態とするプレリリースボタン４１を設けた。【選択図】        図１
2005080702.tif 000002
【特許請求の範囲】
【請求項１】
操作部を有する本体部分と、前記本体部分から長手方向に伸びる挿入部と、挿入部の先端に設けられた開閉可能なジョー部と、前記ジョー部を開閉操作するジョー開閉手段と、ステープル押し出し手段と、挿入部に設けられたナイフを操作するナイフ操作手段と、前記ショー開閉手段を操作しジョー部を全閉状態から半開状態で保持するプレリリース手段とを備えたステープル装置。
【請求項２】
前記ジョー部は、ステープルを収納するカートリッジと、前記カートリッジを保持するカートリッジホルダと、カートリッジホルダに回動自在に設けられたアンビルとを備えたことを特徴とする請求項１記載のステープル装置。
【請求項３】
前記ジョー開閉手段は、前記アンビルに連結されたクロージングパイプと、前記クロージングパイプに連結されたクロージングレバーを備えたことを特徴とする請求項２記載のステープル装置。
【請求項４】
前記プレリリース手段は、前記アンビルと連動する第１のカム面及び第２のカム面を有したクロージングレバーと、前記第１のカム面と端部が係合するプレリリースボタンと、前記第２のカム面と端部が係合するリリースボタンとを備えたことを特徴とする請求項１から３のうちのいずれか１項記載のステープル装置。
【請求項５】
前記プレリリースボタンは、ジョー部が全閉状態においてのみ本体から突出し、操作可能であることを特徴とする請求項４記載のステープル装置。
【請求項６】
前記リリースボタンは、ジョー部が半開状態においてのみ本体から突出し、操作可能であることを特徴とする請求項５記載のステープル装置。
【請求項７】
前記本体部分に軸止された前記プレリリースボタンの端部が描く円弧軌道に対して、前記第１のカム面端部の段差の角度が円弧軌道の接線よりも内側に傾斜していることを特徴とする請求項４から６のうちのいずれか１項記載のステープル装置。
【請求項８】
前記ジョー部が全閉状態の時のみ、前記ナイフ操作手段及びステープル押し出し手段を操作可能とするロック機構を備えたことを特徴とする請求項１から７のうちのいずれか１項記載のステープル装置。
【請求項９】
前記ロック機構は、中空のプレリリースボタン内部に設けられたロックレバーと、前記ロックレバーの先端に係合する溝を有するカムバーラックと、ロックレバーの一端を前記溝方向に付勢するバネを備えたことを特徴とする請求項８項記載のステープル装置。
【請求項１０】
前記ステープル押し出し手段及び前記ナイフ操作手段は、操作部からジョー部方向に向かって伸びるカムバー及びナイフと、カートリッジ内のステープル収納部近辺に設けられたステープル保持部と、ラック部材を介しカムバー及びナイフと連結されたステープル打ち出しレバーを備えたことを特徴とする請求項１から９のうちのいずれか１項記載のステープル装置。
【発明の詳細な説明】
【技術分野】
【０００１】
この発明は、外科手術に用いられる外科器具、特にステープルを用いて生体組織の切除と縫合とを行うステープル装置に関するものである。
【背景技術】
【０００２】
外科手術の分野では、体内に挿入される細長い挿入部と、挿入部の基端部に連結されたガングリップ型をした操作部とから構成され、挿入部を身体内に挿入し、ステープルを生体組織に対して複数列状に打ち出し、ステープル列の間の生体組織をナイフによって直線状に切除するステープル装置が広く普及している。
【０００３】
従来用いられていたステープル装置の外観斜視図を図１１に示す。このステープル装置には、ステープルを複数列に収容するカートリッジ５と、ステープルを変形させるための複数の溝を持つアンビル６とが設けられている。そして、この装置の使用時にはアンビル６とカートリッジ５との間に生体組織を挟み込んだ状態で、カートリッジ５からステープルを打ち出し、同時に複数並んだステープル列間の生体組織４４をナイフで切除するようになっている。
【０００４】
その工程を詳細に説明すると、クロージングレバー４０を操作することにより、アンビル６がステープルのカートリッジ方向に回動し、生体組織４４がアンビル６とカートリッジ５間に挟み込まれる。
そして、ステープル打ち出しレバー２７を操作すると、筒状の挿入部２の内部に収納されたカムバー２１がカートリッジ背面のスロットをカートリッジ先端方向へと移動し、カムバー２１の先端がステープル保持部材１０に当接し、ステープル保持部材１０がアンビル６方向へと押され、ステープル７が打ち出され、その後カッターがカートリッジ表面及びアンビル６の表面に設けられたスロットをスライドしていく。すると、ステープリングされた生体組織４４が切除される。図７に、カムバー２１がスロット内を移動し、ステープル保持部材１０をアンビル６方向に押し出している断面拡大図を示す。
ステープル打ち出しレバー２７を放すと、ステープル打ち出しレバー２７近辺に設けられた巻きバネの力によって、カムバー２１及びナイフ２０はスロットをスライドし、初期位置に戻る。その後、操作部背面に設けられたリリースボタン４２を押すと、ジョー部は全開状態となる。
【０００５】
上述したようなクロージング手段及びステープル打ち出し手段を備えたステープル装置として特許文献１〜３が公開されている。
【０００６】
【特許文献１】特開２００３−６０３号公報
【特許文献２】特開平９−２３８９４７号公報
【特許文献３】特開平３−１５６９０１号公報
【発明の開示】
【発明が解決しようとする課題】
【０００７】
上述した従来のステープル装置においては、ステープリングを終えた後、ステープル打ち出しレバーを放し、カムバーがスロットをスライドし初期状態へと戻ろうとする際、金属などでできている弾性を有するステープルは円弧状の部分があるため、ステープル自体がバネとなり、カートリッジ内のステープル保持部材とアンビルの間にテンションがかかる。
するとスロット内をスライドするカムバーにそのテンションが作用し、ステープル打ち出しレバー近辺に設けられた巻きバネの力よりテンションによる力が大きくなった場合、カムバー及びステープル打ち出しレバーが元の位置に戻らないといった問題があった。
また、ステープルのテンションに負けないだけの巻きバネを用いると、ステープル打ち出しのための力が大きくなってしまうという問題もあった。
【０００８】
この発明は、上記問題を解決するためになされたものであり、カムバー及びステープル打ち出しレバーが確実に元の位置に戻るステープル装置を提供するものである。
【課題を解決するための手段】
【０００９】
この発明に係るステープル装置は、操作部を有する本体部分と、本体部分から長手方向に伸びる挿入部と、挿入部の先端に設けられた開閉可能なジョー部と、ジョー部を開閉操作するジョー開閉手段と、ステープル押し出し手段と、挿入部に設けられたナイフを操作するナイフ操作手段と、ジョー開閉手段を操作しジョー部を全閉状態から半開状態で保持するプレリリース手段とを備えたものである。
【００１０】
この発明に係るステープル装置は、ジョー部は、ステープルを収納するカートリッジと、カートリッジを保持するカートリッジホルダと、カートリッジホルダに回動自在に設けられたアンビルとを備えたものである。
この発明に係るステープル装置は、ジョー開閉手段は、アンビルに連結されたクロージングパイプと、クロージングパイプに連結されたクロージングレバーを備えたものである。
【００１１】
この発明に係るステープル装置は、プレリリース手段が、アンビルと連動する第１のカム面及び第２のカム面を有したクロージングレバーと、第１のカム面と端部が係合するプレリリースボタンと、第２のカム面と端部が係合するリリースボタンとを備えたものである。
この発明に係るステープル装置は、プレリリースボタンが、ジョー部が全閉状態のみ本体から突出し、操作可能なものである。
【００１２】
この発明に係るステープル装置は、リリースボタンが、ジョー部が半開状態のみ本体から突出し、操作可能なものである。
この発明に係るステープル装置は、本体部分に軸止された前記プレリリースボタンの端部が描く円弧軌道に対して、第１のカム面端部の段差の角度が円弧軌道の接線よりも内側に傾斜しているものである。
【００１３】
この発明に係るステープル装置は、ジョー部が全閉状態の時のみ、ナイフ操作手段及びステープル押し出し手段を操作可能とするロック機構を備えたものである。
この発明に係るステープル装置は、ロック機構が、中空のプレリリースボタン内部に設けられたロックレバーと、前記ロックレバーの先端に係合する溝を有するカムバーラックと、ロックレバーの一端を前記溝方向に付勢するバネを備えたものである。
この発明に係るステープル装置は、ステープル押し出し手段及びナイフ操作手段は、操作部からジョー部方向に向かって伸びるカムバー及びナイフと、カートリッジ内のステープル収納部近辺に設けられたステープル保持部と、ラック部材を介しカムバー及びナイフと連結されたステープル打ち出しレバーを備えたものである。
【発明の効果】
【００１４】
本発明によれば、ジョー開閉手段を操作しジョー部を全閉状態から半開状態で保持するプレリリース手段を設けたので、ステープル押し出し手段にテンションがかかることがなく、確実にステープル押し出し手段及びナイフを初期状態に戻すことができる。
【発明を実施するための最良の形態】
【００１５】
実施の形態１．
図１は、この発明の実施の形態１に係るステープル装置の全体斜視図である。図２は、ジョー部が全開状態を示す断面図である。
このステープル装置１は、体内に挿入される細長い挿入部２と、挿入部２の基端部に連結されガングリップ型をした操作部を有する本体部分３とから構成されている。
挿入部２には先端に向けて徐々に断面積が大きくなるパイプ状のクロージングパイプ４が設けられている。さらに、挿入部２の先端部には体内組織を挾持する開閉自在のジョー部が設けられている。このジョー部にはカートリッジ５とこのカートリッジ５に対して開閉可能に連結されたアンビル６とが設けられている。
【００１６】
図６は、この発明の実施の形態１に係るステープル装置においてジョー部が全開で、アンビルを取り外した状態を示すジョー部の拡大図である。図７は、この発明の実施の形態１に係るステープル装置１においてジョー部が全閉で、カムバーがステープリングしている状態を示す断面拡大図である。
カートリッジ５の前部側には図７に示すように生体適合性金属材料からなる略Ｕ字状の複数のステープル７が両端部をアンビル６へ向けて放出自在な状態で複数列状に収容するステープル収容部８が形成されている。このカートリッジ５のステープル収容部８に収容されるステープル７の列は複数の列からなり、本実施の形態においては図６に示すように４列形成されている。
【００１７】
このステープル収容部８には、各ステープル７の下方にステープル保持部材１０が配設されている。このステープル保持部材１０の下方にはアンビル６へ向けてステープル７を押し出すための斜面が形成されている。なお、ステープル保持部材１０はステープル７と接した状態でアンビル６の方向へ向けて摺動自在に支持されている。本実施の形態において、１つのステープル保持部材１０は、隣り合った列のほぼ横に並んだ２つのステープルを保持している。
【００１８】
カートリッジ５方向のアンビル６の一面には、ステープル７を変形させるための溝１１及び後述するナイフ２０のエッジ部が摺動するガイド溝９が設けられている。図２に示すように、アンビル６の操作部方向の端部は、カートリッジホルダ１２の端部にピン１３により回動自在に連結されている。アンビル６の中間部が、連結部材１４を介し、クロージングパイプ４の先端と連結されている。
【００１９】
カートリッジホルダ１２は断面形状が略Ｕ型に屈曲形成され、カートリッジ５を着脱可能に保持している。さらに、このカートリッジホルダ１２の先端部にはカートリッジ係止用の切欠部が形成されている。カートリッジ５の前端部にはカートリッジホルダ１２の切欠部と着脱自在に係合するそれぞれ一対の係合突起が突設されている。そして、カートリッジ５の係合突起がカートリッジホルダ１２の切欠部と着脱自在に係合されるようになっている。
【００２０】
カートリッジホルダ１２の一端から操作部方向に向かって、ジョー部間に挟まれる生体組織を切除するナイフ２０と、ステープル７を列毎に順次押し出すための先端に斜面をもつカムバー２１とが配置されている。
【００２１】
図６に示すように、カートリッジ５のアンビル６方向の表面にはステープル列間にナイフ２０のスライド動作をガイドするためのナイフスロットが形成されている。また、カートリッジ５の裏面にはステープル列の下方にカムバー２１の移動をガイドするためのカムバースロットが形成されている。
【００２２】
図８はこの発明の実施の形態１に係るステープル装置のカムバー及びナイフ近辺の分解斜視図を示す図であり、図９は、この発明の実施の形態１に係るステープル装置１の本体部分３の分解斜視図である。ナイフ２０には先端部に切刃となるエッジ部が形成されている。ナイフ２０のエッジ部と反対側、即ち本体部分３方向の端部には、カムバーアダプタ２３が設けられている。カムバーアダプタ２３は、ナイフ２０及びカムバー２１の本体部分３方向の端部と接続されている。カムバーアダプタ２３の本体部分３方向の端部はカムバーラック２４と接続されており、また、カムバーラック２４の他端部の上面には、ロックレバー４３と係合可能な溝１５が設けられている。カムバーラック２４の中間部下面には、歯が設けられており、その歯は歯車２５の外周とかみ合っている。
【００２３】
歯車２５は同軸で連動する半径の小さい小歯車部を備えており、小歯車部の歯は、ファイアリングラック２６の一端に設けられた歯とかみ合っている。ファイアリングラック２６の下面他端部に歯が設けられており、ステープル打ち出しレバー２７に設けられた歯とかみ合っている。ステープル打ち出しレバー２７は、中心を軸止めされたほぼ円盤形状の部分からレバー部が突出した形状で、本体部分３のケーシング２８に固定された軸を中心に回動可能であり、円盤状部分の一部には前述した歯が設けられている。また、ステープル打ち出しレバー２７は、軸近辺に設けられた図示しない巻きバネによって、常に開く方向に付勢されている。
【００２４】
本体部分３と挿入部２の境には筒状のキャップ３１がケーシング２８に対して回動可能に固定されている。連結部材１４と連結されたクロージングパイプ４は、キャップ３１の中心をとおり、本体部分内部まで伸びている。クロージングパイプ４の操作部方向の端部は、スライダ３２と連結されている。スライダ３２はキャップ３１とスライダ３２間に設けられたバネにより、常に操作部方向に付勢されている。スライダ３２の他端側は、連結部材３４とピンにより連結されており、連結部材３４の他端側はピンによりクロージングレバー４０に連結されている。
【００２５】
クロージングレバー４０は、本体部分３のケーシング２８に固定された軸を中心に回動可能に設けられている。軸はステープル打ち出しレバー２７が固定されている軸と同位置であるが、ステープル打ち出しレバー２７と直接結合されておらず、クロージングレバー４０とステープル打ち出しレバー２７は、それぞれ別に回動可能となっている。
クロージングレバー４０は、第１及び第２のカム面を備えたカム部とほぼその反対方向に突出した操作部から構成されている。第１及び第２のカム面は軸方向にそれぞれ異なる形状で並んでいる。第１のカム面は、プレリリースボタン４１と係合可能なカム面で、もう一方の第２のカム面は、リリースボタン４２と係合可能なカム面を有している。図１０は、この発明の実施の形態１に係るステープル装置の第１のカム面とプレリリースボタン４１の係合部の断面拡大図である。プレリリースボタン４１と係合可能なカム面は、図に示すように円弧状に切り欠いた部分から軸方向に鋭角な断部が設けられている。
【００２６】
プレリリースボタン４１の中間部はケーシング２８に設けられた軸に回転可能に軸止されている。プレリリースボタン４１の一端は、クロージングレバー４０と係合可能で、クロージングレバー４０の第１のカム面に設けられた切り欠きとほぼ同形状となっている。図に示すようにカム面と当接する部分の形状は直角よりθ角度が小さい鋭角な端部をなしている。本体部分に軸止されたプレリリースボタン４１の端部が描く円弧軌道に対して、第１のカム面端部の段差の角度が円弧軌道の接線よりも内側に傾斜している。プレリリースボタン４１の他端はケーシング２８の外部に突出可能となっており、外部に突出した面は使用者が操作する操作部となっている。
【００２７】
リリースボタン４２の中間部は、ケーシング２８に設けられたプレリリースボタン４１が固定されている同じ軸に回転可能に軸止されている。同じ軸ではあるが、プレリリースボタン４１とリリースボタン４２は、別体でそれぞれ独立した動きが可能となっている。リリースボタン４２の一端は、クロージングレバー４０と係合可能で、クロージングレバー４０の第２のカム面に設けられた切り欠きとほぼ同形状となっている。プレリリースボタン４１と同様にリリースボタン４２の他端はケーシング２８の外部に突出可能となっており、外部に突出した面は使用者が操作する操作部となっている。第２のカム面は、凹形状をなしており、凹部の中央にクロージングレバー４０の端部が嵌り合った時にはリリースボタン４２の端部がケーシング２８の外に突出し操作可能となる。しかし、クロージングレバーが右回転、左回転いずれかの方向に回転し、リリースボタン４２の端部が凹部から外れると、リリースボタン４２の端部はケーシング２８の外へ突出せず操作することは出来ない。
【００２８】
ロックレバー４３は、一部中空のプレリリースボタン４１の内部に、ケーシング２８に設けられたプレリリースボタン４１が固定されている同じ軸に回転可能に軸止されている。ロックレバー４３は、一部空洞になっているプレリリースボタン４１の内部に設けられているが、ロックレバー４３とプレリリースボタン４１はそれぞれ独立した動きが可能となっている。ロックレバー４３の一端は、カムバーラック２４の溝１５と係合可能な突起となっていて、ロックレバー４３の他端は、プレリリースボタン４１の中空内部の一面と当接可能となっている。プレリリースボタン４１の中空内部とロックレバー４３の間には、図示しない板バネが設けられ、ロックレバー４３は溝１５方向に付勢されている。プレリリースボタン４１がケーシング２８より突出し、操作可能位置にある時に、ロックレバー４３の他端は、プレリリースボタン４１の中空内部の一面と当接し、ロックレバーの一端が溝１５から外れるようになっている。
【００２９】
図１０は完全にクロージング状態になる直前のプレリリースボタン４１の状態を示す図である。この状態からジョー全閉状態になるとプレリリースボタンの係合部４４が右方向に回転し、ロックレバー４３の上方の突起がプレリリースボタンの中空内面と当接するためにロックレバー４３も右方向に回転し、溝１５からロックレバーの一端が外れる。
ケーシング２８にはグリップ４６が設けられ、グリップ４６、クロージングレバー４０のレバー部、ステープル打ち出しレバー２７のレバー部の順に本体部分３から挿入部２方向に並んでいる。
【００３０】
続いて実施の形態１のステープル装置の操作について説明する。図２に示すように、ジョー部が全開状態で、クロージングレバー４０およびステープル打ち出しレバー２７は、グリップ４６から離れた方向にある。この状態のステープル装置の挿入部を身体の中に挿入する。患部を確認した後、切断したい場所にジョー部を移動し、クロージングレバー４０の操作部をグリップ４６方向へと操作する。クロージングレバー４０を操作すると、クロージングレバー４０はケーシング２８に固定された軸を中心に回転する。カム部近辺にピンにより連結された連結部材３４が挿入部方向へと押し出される。スライダ３２を介し連結部材３４と連結したクロージングパイプ４は挿入部方向へと押し出される。連結部材１４を介し接続され、端部をカートリッジホルダと回転可能に軸止されたアンビル６は、カートリッジホルダ１２と接触する方向へと回転移動し、やがてジョー部が全閉状態となる。図３は、この発明の実施の形態１に係るステープル装置においてジョー部が全閉で、ステープル打ち出しレバーを操作する前の状態を示す断面図である。
【００３１】
クロージングレバー４０が回動操作されることにより、第１及び第２のカム面も回転移動する。全閉状態になると、プレリリースボタン４１の先端が描く円弧起動に対し、第１のカム面の段差の角度が円弧起動の接線よりも内側に傾斜しているので、プレリリースボタン４１の尖った先端が第１のカム面の段差の内径方向へ移動する際、尖った先端がカム面の内側を強く打ち付けるために、クリック感を感じると共にパチンと音が出る構造となっている。図１０は完全にクロージング状態になる直前のプレリリースボタン４１の状態を示す図である。全閉状態になると、プレリリースボタン４１がケーシングより突出する方向に移動するため、プレリリースボタン４１の中空内面が、ロックレバー４３のファイアリングラックの溝と係合する突起と反対側端部の一面を押し、ロックレバー４３の先端がファイアリングラック２６に設けられた溝１５から外れ、ステープル打ち出しレバー２７が可動状態となる。
【００３２】
図３はクロージングレバー４０がグリップ４６方向へと操作され、ジョー部が全閉で、プレリリースボタン４１がケーシングから突出し、リリースボタン４２がケーシングから突出せず、ロックレバー４３がステープル打ち出しレバーをロックすることのない非ロック状態にある図を示す。
図３の状態で、ジョー部が患部の切除位置にあることを確認すると、ステープル打ち出しレバー２７の操作部をグリップ４６方向へと操作する。ステープル打ち出しレバー２７の歯がファイアリングラック２６の一端に設けられた歯と係合し、ファイアリングラック２６が挿入部方向へと移動する。するとファイアリングラック２６の他端に設けられた歯が歯車２５の小歯車部とかみ合い、歯車２５が回転する。歯車２５の外周に設けられた大歯車部とカムバーラック２４の歯がかみ合い、カムバーラック２４は挿入部方向へと移動する。
【００３３】
カムバーラック２４の挿入部方向先端は、他端がカムバー２１及びナイフ２０と接続されたカムバーアダプタ２３と連結されているので、カムバー２１及びナイフ２０も挿入部方向へと移動する。
カムバー２１がカートリッジ５内のカムバースロットを移動し、カムバー２１の先端がステープル保持部材１０の下部をアンビル６方向へと押し出すことにより、ステープル７がアンビル６の表面に設けられた溝と当接し、ステープリングされる。操作部方向から先端部方向に並んだステープル７が、カムバー２１の先端が通過する順にステープリングされ、その後にナイフ２０のエッジ部がアンビル６に設けられた溝を通過することにより、生体組織４４が切離される。
【００３４】
図４は、この発明の実施の形態１に係るステープル装置においてジョー部が全閉で、ステープル打ち出しレバー２７を操作した後の状態を示す断面図である。ステープリングが終了し、ナイフ２０及びカムバー２１が、最も挿入部先端方向にある。
図４において、ステープリングを終えた後、ステープル打ち出しレバー２７を開放し初期状態に戻そうとしても、金属などでできている弾性有するステープルは円弧状の部分があるため、ステープル自体がバネとなり、カートリッジ５内のステープル保持部材１０とアンビル６の間にテンションがかかる。するとステープルカートリッジ内のスロットをスライドするカムバー２１にそのテンションが作用し、ステープル打ち出しレバー近辺に設けられた巻きバネの力よりテンションによる力が大きくなった場合、カムバー２１及びステープル打ち出しレバー２７が初期位置に戻らなくなる。
【００３５】
ステープル打ち出しレバー２７が初期位置に戻らない状態において、プレリリースボタン４１を押すと、ジョー部は半開位置、即ちアンビル６がカートリッジ５から少々離れステープル７のテンションがステープル保持部材１０を介しカムバー２１に作用しない状態となる。即ちプレリリースボタン４１を押すと、プレリリースボタンの先端と第１のカム面の係合部が外れ、第２のカム面とリリースボタンの端部の係合する位置まで、クロージングレバー４０の操作部がグリップ４６から遠ざかる方向へ回転する。カムバー２１には、テンションがかからず、カムバー２１、ナイフ２０及びステープル打ち出しレバー２７は初期状態へと戻る。全閉状態においては、図１０に示すようにプレリリースボタン４１がケーシングより突出する方向に移動するため、プレリリースボタン４１の中空内面が、ロックレバー４３のカムバーラック２４の溝１５と係合する突起と反対側端部の一面と当接し、ロックレバー４３の先端がカムバーラック２４に設けられた溝１５から外れ、ステープル打ち出しレバー２７が可動状態となっていたが、プレリリースボタン４１が押されると、プレリリースボタン４１が回転し、ロックレバー４３のカムバーラック２４の溝１５と係合する突起と反対側端部の一面をプレリリースボタン４１から押す力が作用しなくなるので、板バネにより付勢されていたロックレバー４３は、溝１５と係合する位置へと移動し、ステープル打ち出しレバー２７が操作出来ないロック状態となる。この状態ではステープル打ち出しレバー２７が操作不可能であるので、ナイフを再度挿入部方向に押し出すことがない。即ち、ステープル打ち出しレバー２７を再度操作し、切除すべき部分以外の組織をナイフで傷つける虞がなくなる。図１及び図５はプレリリースボタン４１を押し、ジョー部が半開状態で、リリースボタン４２がケーシング２８から突出した状態を示す。
なお、本明細書及び請求の範囲において、半開状態という文言を用いたが、生体組織をステープリングした際にカムバー及びステープル打ち出しレバーが確実に初期状態に戻るジョー部の開度であれば良いのであって、たとえばジョー部が全閉より少々開いた微開状態も含むものである。
【００３６】
全開状態でナイフが初期状態へ戻るようにすると、生体組織４４がアンビル６から完全に離れた状態でナイフが移動するので、ナイフが戻る際に、ナイフが進行した部分と別の箇所と接触する虞がある。半開状態でナイフが初期状態へ戻るようにしたので、ナイフが進行する時も戻る時も生体組織４４の同じ部分を通過するため、不必要な箇所を傷つける虞がない。
ロックレバー４３は、前述したようにプレリリースボタン４１及びリリースボタン４２と同軸に設けられて、空洞部を有するプレリリースボタン内で回転出来るようになっている。また、ロックレバー４３は板バネにより常にファイアリングラック方向に、押しつけられているので、ステープル打ち出しレバー操作後にプレリリースボタン４１を操作した時に後退してきたファイアリングラック２６の溝に確実にロックレバー４３の端部がはまり込むようになっている。即ち、ジョー部が全閉状態でなければ、ステープル打ち出しレバー２７を操作出来ない構造となっている。
図１及び図５の状態で、リリースボタン４２を押すと、ジョー部が全開状態となり、ジョー部と生体組織４４が完全に離れ、身体内から挿入部を抜くことができる。
【００３７】
本実施の形態１によれば、プレリリースボタンは、ジョー部が全閉状態のみ本体から突出し、操作可能であるので、使用者による誤った操作を防止することができる。
また、本実施の形態１によれば、リリースボタンは、ジョー部が半開状態のみ本体から突出し、操作可能であるので、使用者による誤った操作を防止することができる。
また、本実施の形態１によれば、本体部分に軸止されたプレリリースボタンの端部が描く円弧軌道に対して、第１のカム面端部の段差の角度が円弧軌道の接線よりも内側に傾斜しているので、ジョー部が全閉状態なると、プレリリースボタンの端部が段差の内側を強く打ち付け、クリック音を発生させると共に、全閉状態になったことを感覚的にわかりやすくすることができる。
また、本実施の形態１によれば、ジョー部が全閉状態の時のみ、ナイフ操作手段及びステープル押し出し手段を操作可能とするロック機構を設けたので、使用者による誤った操作を防止することができる。
また、本実施の形態１によれば、中空のプレリリースボタン内部に設けられたロックレバーと、ロックレバーの先端に係合する溝を有するファイアリングラックと、ロックレバーの一端を溝方向に付勢するバネを有するロック機構を備えているので、ロックレバーの先端が確実にファイアリングラックの溝に係合し、ロック機構の不具合を防止するものである。
【図面の簡単な説明】
【００３８】
【図１】本発明の実施の形態１に係るステープル装置の斜視図である。
【図２】本発明の実施の形態１に係るステープル装置においてジョー部が全開状態を示す断面図である。
【図３】本発明の実施の形態１に係るステープル装置においてジョー部が全閉で、ステープル打ち出しレバーを操作する前の状態を示す断面図である。
【図４】本発明の実施の形態１に係るステープル装置においてジョー部が全閉で、ステープル打ち出しレバーを操作した後の状態を示す断面図である。
【図５】本発明の実施の形態１に係るステープル装置においてジョー部が半開状態を示す断面図である。
【図６】本発明の実施の形態１に係るステープル装置においてジョー部が全開で、アンビルを取り外した状態を示すジョー部の拡大図である。
【図７】本発明の実施の形態１及び従来例に係るステープル装置においてジョー部が全閉で、カムバーがステープリングしている状態を示す断面拡大図である。
【図８】本発明の実施の形態１に係るステープル装置のカムバー及びナイフ近辺の分解斜視図である。
【図９】本発明の実施の形態１に係るステープル装置の本体部分の分解斜視図である。
【図１０】本発明の実施の形態１に係るステープル装置の第１のカム面とプレリリースボタンの係合部の断面拡大図である。
【図１１】従来例に係るステープル装置の全体斜視図である。
【符号の説明】
【００３９】
２  挿入部
３  本体部分
４  クロージングパイプ
５  カートリッジ
６  アンビル
７  ステープル
１０  ステープル保持部材
１５  溝
２０  ナイフ
２１  カムバー
２３  カムバーアダプタ
２４  カムバーラック
２５  歯車
２６  ファイアリングラック
２７  ステープル打ち出しレバー
２８  ケーシング
３２  スライダ
４０  クロージングレバー
４１  プレリリースボタン
４２  リリースボタン
４３  ロックレバー
【図１】
2005080702.tif 000003
【図２】
2005080702.tif 000004
【図３】
2005080702.tif 000005
【図４】
2005080702.tif 000006
【図５】
2005080702.tif 000007
【図６】
2005080702.tif 000008
【図７】
2005080702.tif 000009
【図８】
2005080702.tif 000010
【図９】
2005080702.tif 000011
【図１０】
2005080702.tif 000012
【図１１】
2005080702.tif 000013